(57)【要約】【課題】温度ヒューズの配線構造を容易にし、更には、部品点数が増えることなく温度ヒューズの取り付け箇所を適正にしてなるグリル鍋を提供すること。【解決手段】本体ケースと、該本体ケース内に収納配置される遮熱板と、該遮熱板内に配置されるヒータと、該ヒータの上方に載置される調理鍋と、温度調節部とを備えたグリル鍋において、前記温度調節部は、前記本体ケースに対し分離され、前記温度調節部にはプラグ受けを有し、前記温度調節部と前記本体ケースとの装着は、前記本体ケース側に設けられる２本の接続端子に前記温度調節部側の接続端子部を接続することにより行われ、前記ヒータの一方の端部には、前記接続端子の一方が取り付けられ、前記ヒータの他方の端部には、温度ヒューズを介して前記接続端子の他方が電気的に接続される構成。【選択図】図１７
2008307150.tif 000002
【特許請求の範囲】
【請求項１】
本体ケースと、該本体ケース内に収納配置される遮熱板と、該遮熱板内に配置されるヒータと、該ヒータの上方に載置される調理鍋と、温度調節部とを備えた加熱調理器において、
前記温度調節部は、前記本体ケースに対し分離され、
前記温度調節部にはプラグ受けを有し、
前記温度調節部と前記本体ケースとの装着は、前記本体ケース側に設けられる２本の接続端子に前記温度調節部側の接続端子部を接続することにより行われ、
前記ヒータの一方の端部には、前記接続端子の一方が取り付けられ、前記ヒータの他方の端部には、温度ヒューズを介して前記接続端子の他方が電気的に接続されることを特徴とする加熱調理器。
【請求項２】
前記温度ヒューズは、前記温度調節部が対向する前記遮熱板の側壁に設けることを特徴とする請求項１に記載の加熱調理器。
【請求項３】
前記温度ヒューズと前記温度調節部との間には、受けカバー金具が介在することを特徴とする請求項１または２に記載の加熱調理器。
【請求項４】
前記温度ヒューズは、耐熱性カバーを有することを特徴とする請求項１ないし３のいずれか１項に記載の加熱調理器。
【発明の詳細な説明】
【技術分野】
【０００１】
本願発明は、特に、本体ケースと、温度調節用つまみ及び感熱棒等を有する温度調節部とを分離した温度ヒューズを有する加熱調理器、特に、グリル鍋に関する。
【０００２】
加熱調理器の一種であるグリル鍋は、外郭を構成し底部に脚を有する本体ケースと、本体ケースの内側に収納され、ヒーターからの熱が本体ケースに伝わるのを防止するためのほぼ皿形状の遮熱板と、その遮熱板の内側に配置されるヒーターと、そのヒーターの上方にセットされる調理物を調理するための深鍋等の調理鍋と、温度調節部等を有し、温度調節部で温度を設定しヒーターに通電することにより、調理鍋内の調理物を加熱調理するものである。
【０００３】
ところで、グリル鍋は、調理物を長時間加熱するための機器として広く利用されており、安全性の観点から温度ヒューズの設置が一般的であり、温度ヒューズが取り付けられていると配線上の制約等もあり、その多くは本体ケースに温度調節部が一体に形成されている（例えば、特許文献１参照）。
【０００４】
ところが、グリル鍋は、調理時に調理鍋の煮汁が吹きこぼれることがあり、吹きこぼれるとその煮汁は鍋の外周を伝って遮熱板に落下することがあるため、そのような場合には調理後に遮熱板を水で洗浄する等の手入れが必要になる。しかし従来のグリル鍋は、温度調節部が本体ケースに一体に形成されており、遮熱板を本体ケースから取り外すことができにくい構造であったため、遮熱板の手入れが容易でないという問題を有していた。
【０００５】
ところで、グリル鍋と同じ加熱調理器としてホットプレートが知られている。このホットプレートは、グリル鍋に比べ調理時間が比較的短いこともあり温度ヒューズを取り付けることまでしておらず、配線が容易になる等の理由から温度調節器を本体ケースから分離し、更に遮熱板を本体ケースから簡単に取り外すことができるようにし、遮熱板及び本体ケースの手入れを容易にしている。
【０００６】
従来のホットプレートを図２０に示す。ホットプレート１は、本体ケース２、この本体ケース２内に収納される遮熱板３、ヒータ４、前記本体ケース２の上面に載る料理プレート５を有する。そして、遮熱板３の側壁には、温度調節器受け６が設けられ、この温度調節器受け６には、先端に感熱棒８を有する温度調節器７が着脱自在に取り付けられるとともに、温度調節器受け６より温度調節器７を離脱することにより、遮熱板３を本体ケース２より取り外すことが可能であり、上記グリル鍋に比べ手入れが容易であるという利点を有している（例えば、特許文献２参照）。
【０００７】
このようなホットプレートの利点を取り入れグリル鍋においても温度調節部を本体ケースより分離可能にし、遮熱板等の手入れを容易にすることが考えられる。ところでグリル鍋は、上記したように温度ヒューズが必要とされており、温度ヒューズを取り付け、更に温度調節部を本体ケースより分離可能の構造にすると、従来のホットプレートの配線構造がそのまま採用できないことになる。
【０００８】
また、グリル鍋に温度ヒューズを配置する場合、取り付けを簡単に行うことができる等の理由から遮熱板の裏面に配置することが考えられる。しかしながら、遮熱板の裏面に温度ヒューズを配置すると、配線が長くなったり、或いは、遮熱板と遮熱板を収納する本体ケースとの間に所定の空間が必要になり、ケースユニット（図２のもの）を高さを低くできないという問題が生じる。更に遮熱板の裏面に温度ヒューズを配置するということは、遮熱板を本体ケースより取り外し遮熱板を手入れする際、裏面の温度ヒューズに手等が当たり温度ヒューズが外れたり壊れたりする問題が生じる。そのような問題を解決するために温度ヒューズを覆って例えば金属製のハードカバーを設けることが考えられるが、そうすると部品点数が増え生産コストが高騰するという新たな問題が生じることになる。  
【特許文献１】特開２０００−４１８６０（図２）
【特許文献２】特開２００２−２０９７５５
【発明の開示】
【発明が解決しようとする課題】
【０００９】
本願発明は、感熱棒を有する温度調節部を本体ケースから分離するとともに、温度ヒューズの配線構造を容易にし、更には、部品点数が増えることなく温度ヒューズの取り付け箇所を適正にしてなる加熱調理器を提供することを目的にするものである。
【課題を解決するための手段】
【００１０】
上記目的を達成するため、本願発明は以下の構成を採用する。
【００１１】
請求項１に係る発明では、本体ケースと、該本体ケース内に収納配置される遮熱板と、該遮熱板内に配置されるヒータと、該ヒータの上方に載置される調理鍋と、温度調節部とを備えた加熱調理器において、前記温度調節部は、前記本体ケースに対し分離され、前記温度調節部にはプラグ受けを有し、前記温度調節部と前記本体ケースとの装着は、前記本体ケース側に設けられる２本の接続端子に前記温度調節部側の接続端子部を接続することにより行われ、前記ヒータの一方の端部には、前記接続端子の一方が取り付けられ、前記ヒータの他方の端部には、温度ヒューズを介して前記接続端子の他方が電気的に接続される構成。そしてこの構成により、温度ヒューズを有する配線構造が容易になる。なお、請求項１に係る発明においてプラグ受けをなくすこともできる。
【００１２】
請求項２に係る発明では、請求項１の構成に加え、前記温度ヒューズは、前記温度調節部が対向する前記遮熱板の側壁に設ける構成。そしてこの構成により、請求項１に係る発明の作用に加え、配線が短くなり、遮熱板と遮熱板を収納する本体ケースとの間の空間を必要最小限にできる。
【００１３】
請求項３に係る発明では、請求項１または２の構成に加え、前記温度ヒューズと前記温度調節部との間には、受けカバー金具が介在する構成。そしてこの構成により、請求項１または２に係る発明の作用に加え、受けカバー金具がハードカバーとして機能するため、別途のハードカバーは不要になる。
【００１４】
請求項４に係る発明では、請求項１ないし３の構成に加え、前記温度ヒューズは、耐熱性カバーを有する構成。そしてこの構成により、請求項１ないし３に係る発明の作用に加え、温度ヒューズの汚れ等がなくなる。
【発明の効果】
【００１５】
請求項１に係る発明では、温度調節部と本体ケースとを分離するとともに、温度調節部と本体ケースとの装着は、本体ケース側に設けられる２本の接続端子に温度調節部側の接続端子部を接続することにより行われ、ヒータの一方の端部には接続端子の一方が取り付けられ、ヒータの他方の端部は温度ヒューズを介して接続端子の他方が接続されることにより、温度ヒューズを有する配線構造並びにその取り付けを容易にすることができる。
【００１６】
請求項２に係る発明では、温度ヒューズを温度調節部が対向する遮熱板の側壁に設けることにより、請求項１に係る発明の効果に加え、配線を短くすることができ、遮熱板と遮熱板を収納する本体ケースとの間の空間を必要最小限にし、加熱調理器の高さを抑えることができる。その結果、加熱調理器の生産コストを抑えることができる。
【００１７】
請求項３に係る発明では、温度ヒューズと温度調節部との間に受けカバー金具を介在させることにより、請求項１または２に係る発明の効果に加え、受けカバー金具をハードカバーとして兼用できるため、それだけ生産コストを抑えることができる。
【００１８】
請求項４に係る発明では、温度ヒューズに耐熱性カバーを被せることにより、請求項１ないし３に係る発明の効果に加え、煮汁等による温度ヒューズの汚れ、ないしは汚れに起因した機能低下等をなくすことができ、それだけ安全性を高めることができる。
【実施例】
【００１９】
以下、添付の図面を参照して、本願発明の実施の形態について詳述する。
【００２０】
図１に本願発明の加熱調理器の一種であるグリル鍋の全体斜視図を示し、図２に温度調節部を取り外したケースユニットの全体斜視図を示し、図３〜５に遮熱板、本体ケース及びヒータの斜視図を示し、図６〜１０に温度調節部を種々の角度から見た図を示し、図１１〜１３に温度調節部の３カバーの斜視図を示し、図１４に温度調節部の中カバーとターミナルユニット等の組み合わせ斜視図を示し、図１５に温度調節部のターミナルユニットの平面図を示し、図１６に温度調節部のサーモエレメントユニットの斜視図を示す。
【００２１】
以下においてはグリル鍋を用いて説明する。グリル鍋Ｈは、外郭を構成する本体ケース１０と、遮熱板２０と、その遮熱板２０の上方に載置される調理鍋３０と、遮熱板２０の内側に配置される加熱源としてのヒーター３５と、該ヒーター３５への通電を制御するための温度調節部５０等からなる。
【００２２】
本体ケース１０を図４に示す。本体ケース１０は、グリル鍋Ｈの外郭を構成する皿状で且つ平面視円形の樹脂成形部材であり、側壁１１及び底壁１２を有し、上方には遮熱板２０が収納される上部開口１３を有する。側壁１１は、縦方向の断面が逆Ｕ字状の２重壁からなり、後記温度調節部５０が装着されるための側部開口１４が上端部１４ａを残した形態で設けられており、上端部１４ａを除いたその全体は略Ｃ字状を呈する。なお、上部開口１３は、上端部１４ａにより連続した円形となっている。
【００２３】
前記底壁１２の中央には、下部開口１５を有し、下部開口１５を囲むように下方に突出する脚１６が複数個、実際には５個底壁１２の裏面に一体に設けられている。５個の脚１６のうち、３個には凹み１７が形成され、後記遮熱板２０の３個の脚部２３ａが挿入する。また、底壁１２の側部開口１４付近には、１個のすり鉢状の係止溝１８を有する。この係止溝１８は下方にへこんだ円形の溝であり、後記温度調節部５０が取り付けられた際、温度調節部５０のケース先端に設けられる下方へ突出した逆円錐状の係合突起６１が係合する。
【００２４】
遮熱板２０を図３に示す。遮熱板２０は、金属性の薄板をプレス加工により一体形成されるものであり、全体はほぼ皿状で且つ平面視円形の部材であり、側壁２１及び底壁２２を有する。底壁２２には、３個の凸部２３と５個の切欠口２４を有する。凸部２３は、内方へ突出する円形の部分であり、その外側の円形の凹み部分には脚部２３ａが挿入されビスにより内側から取り付けられる。この脚部２３ａは、遮熱板２０が本体ケース１０内に収納された際（図２の状態）、本体ケース１０の３個の凹み１７内に位置する。前記切欠口２４には、ヒーター保持金具２５の直角に折れ曲がった下端部が挿入される。ヒーター保持金具２５は、上部にＵ字状の切欠を有するＬ字状の平板部材であり、直角に折れ曲がった下端部を前記切欠口２４に挿入し、ビス止めすることにより底壁２２から立設する形態で取り付けられ、上部のＵ字状の切欠には図２に示すように後記ヒーター３５が圧入され保持される。
【００２５】
前記側壁２１の本体ケース１０の側部開口１４に対向する部分には、若干内側に凹んだ窪み部２６を有する。この窪み部２６には、温度調節部５０の感熱棒９５が挿入される中央口２７と、外側から内側方向を見て左側に位置する左側口２７ａと、外側から内側方向を見て右側に位置する右側口２７ｂとを有する。図１７に示すように、中央口２７は左側口２７ａと右側口２７ｂとの間の中間に位置し、中央口２７と左側口２７ａとは同一水平線上に位置し、右側口２７ｂは中央口２７及び左側口２７ａより高さｎだけ下側に位置する。
【００２６】
そして、左側口２７ａには後記ヒーター３５の一方の端部に直付けされる直線状の第１電源用接続端子棒３６が内側から外側に飛び出る形態で取り付けられ、右側口２７ｂには後記ヒーター３５の他方の端部に直付けされる略Ｃ字状の電源用接続端子３７が内側から外側に飛び出る形態で取り付けられる。また、窪み部２６の左右端部より若干左右側の側壁２１には後記受けカバー金具４０を取り付けるためのＴ字を横にしたような形状の２個（図３に片方のみ図示）の切欠口２８を有する。
【００２７】
加熱源であるヒーター３５を図５に示す。ヒーター３５は、平面視略ハート状からなるシーズヒーターであり、金属パイプの中にコイル状の電熱線を通し、パイプと電熱線間の接触を防ぐためマグネシアなどの耐熱性の無機質絶縁粉末を詰め、金属パイプの両端を密封した構造からなるもので通常インコロイヒーターとも呼ばれるものである。シーズヒーターはこのような構造を有するため金属パイプは絶縁されておりたとえ金属パイプに触れたとしても感電することはない。
【００２８】
ヒーター３５の一方の端部３５ａには、直線状の前記第１電源用接続端子棒３６が取り付けられ、他方の端部３５ｂには、略Ｃ字状の前記電源用接続端子３７が取り付けられる。なお、ヒーター３５の全体は略水平であるが、略Ｃ字状の電源用接続端子３７が取り付けられる端部３５ｂは下方に湾曲し、第１電源用接続端子棒３６が取り付けられる端部３５ａより高さｎだけ下方に位置する。なお、電源用接続端子３７は丸型端子であってもよい。
【００２９】
ヒーター３５は前記遮熱板２０内に取り付けられる。その取り付けは、直線状の第１電源用接続端子棒３６を窪み部２６の左側口２７ａより外側に突き出し、略Ｃ字状の電源用接続端子３７を窪み部２６の右側口２７ｂより外側に突き出し、平面視略ハート状の本体部分を遮熱板２０内に立設する５個のヒーター保持金具２５の上部Ｕ字状の切欠に圧入して保持する。
【００３０】
ところで、前記遮熱板２０の窪み部２６の左側口２７ａの下方には図１７で概略的に示すように温度ヒューズ３８が取り付けられる。そして、この温度ヒューズ３８の一端側はリード線Ｒ１により略Ｃ字状の電源用接続端子３７に接続され、温度ヒューズ３８の他端側はリード線Ｒ２により受けカバー金具４０に取り付けられる直線状の第２電源用接続端子棒４１の後端部に接続される。略Ｃ字状の電源用接続端子３７とリード線Ｒ１との接続、リード線Ｒ１と温度ヒューズ３８との接続、温度ヒューズ３８とリード線Ｒ２との接続、リード線Ｒ２と直線状の第２電源用接続端子棒４１との接続は、半田接続でも、他にカシメ固定でも、ビスとナットとの締めによるものでも、圧着端子による接続でも、或いは上記接続を適宜組み合わす接続でもよい。リード線Ｒ２と直線状の第２電源用接続端子棒４１との接続としてナット４１ａによるナット締めを示す。なお、第１電源用接続端子棒３６及び第２電源用接続端子棒４１は請求項１に記載される接続端子に相当する。
【００３１】
温度ヒューズ３８及びリード線Ｒ１、Ｒ２は、シリコン入りのガラス編組チューブ３９ａでカバーされる。特に温度ヒューズ３８をフレキシブルなガラス編組チューブ３９ａでカバーすることにより、その取り付けは容易で、且つ煮汁等が掛かり機能が低下する弊害、または取り付け時に工具が当たり温度ヒューズ３８が損傷する弊害等を防止することができる。
【００３２】
温度ヒューズ３８の取り付けは取付具Ｔにより行われ、 温度ヒューズ３８を遮熱板２０の窪み部２６の左側口２７ａの下方に水平に支持する。取付具Ｔは、その下端に円形に湾曲した取付部Ｔ１を有し、その上方に１個のビス口Ｔ２を有する矩形状の平板部材であり、取付部Ｔ１内にリード線Ｒ２を覆うガラス編組チューブ３９ａを挟持し、ビス口Ｔ２に外側からビスを挿入しナットに螺合することにより温度ヒューズ３８及びリード線Ｒ１、Ｒ２を遮熱板２０に取り付ける。このように温度ヒューズ３８をヒーター３５端部が位置する遮熱板２０の窪み部２６に設けることにより配線を短くすることができる。また、この箇所は後記するように受けカバー金具４０によってその全体が封鎖されるため煮汁等が掛かることがなく、また、遮熱板を手入れする場合、温度ヒューズ３８に手等が当たり温度ヒューズ３８が損傷することもなくなる。
【００３３】
受けカバー金具４０は、遮熱板２０の窪み部２６に対向して設けられる正面視略矩形状で断面Ｌ字状の金属製の部材で、図１９に示すように正面壁４０ａ、側壁４０ｂ及び底壁４０ｃを有する。正面壁４０ａには第１電源用接続端子棒３６が貫通する第１開口４２ｂ、後記温度調節部５０の感熱棒９５が貫通する略Ｕ字状の中央開口４２ａ、第２電源用接続端子棒４１が図１７に示すように取り付けられ、且つ後記受けカバー４５のカバー突起４５ａが貫通可能な丸と水平な直線からなるおたまじゃくし状の第２開口４２ｃ、更には両端部近傍に後記受けカバー４５を螺合するためのビス穴４２ｄを有し、側壁４０ｂには、遮熱板２０の側壁２１に設けられる２個のＴ字を横にしたような形状の切欠口２８に係合するための略キノコ状の係止片４３を有し、底壁４０ｃには、受けカバー金具４０を遮熱板２０の底壁２２にビス止めするためのビス穴４４を有する。
【００３４】
そして、第１開口４２ｂ、中央開口４２ａ及び第２開口４２ｃは、同一水平面に設けられる。この場合、上記したように遮熱板２０の右側口２７ｂを中央口２７及び左側口２７ａより高さｎだけ下側に位置させることにより、本体ケース１０の径方向の拡大を抑えることができる。
【００３５】
その理由を述べる。即ち、ヒーター３５端部の電源用接続端子３７とリード線Ｒ１との接続、並びにヒーター３５端部の第２電源用接続端子棒４１とリード線Ｒ２との接続は、それら接続を行うための空間が必要になる。しかし、遮熱板２０と受けカバー金具４０との間の距離は限られており、遮熱板２０の右側口２７ｂが中央口２７及び左側口２７ａと同じ高さであると、同じ高さの位置に設けられる第１開口４２ｂ、中央開口４２ａ及び第２開口４２ｃとの間に前記接続を行うための空間を確保することが難しくなり、空間を設けようとすると遮熱板２０と受けカバー金具４０との間、即ち本体ケース１０の径が必然的に拡大することになる。
【００３６】
ところで、遮熱板２０の側壁２１は内側に向かって傾斜しており、遮熱板２０の右側口２７ｂを中央口２７及び左側口２７ａより高さｎだけ下側に位置させることにより、右側口２７ｂと受けカバー金具４０の垂直な正面壁４０ａとの間の距離が長くなり、前記接続を行うための空間を確保することができるようになる。
【００３７】
受けカバー４５は、受けカバー金具４０正面壁４０ａに取り付けられる矩形状の樹脂部材であり、第１電源用接続端子棒３６が貫通する第１貫通口４６ｂ、後記温度調節部５０の感熱棒９５が貫通する略矩形状の中央貫通口４６ａ及び第２電源用接続端子棒４１が貫通する第２貫通口４６ｃ、更に両端部にはビスにより受けカバー金具４０に取り付けるためのビス穴４７ａが設けられるフランジ４７を有する。また、その背面であって、第２貫通口４６ｃの上半分を取り囲む形態で半円及び水平な直線からなるカバー突起４５ａが設けられる。このカバー突起４５ａは、受けカバー金具４０の丸と水平な直線からなるおたまじゃくし状の第２開口４２ｃより若干小さくされており、受けカバー４５が受けカバー金具４０に取り付けられると図１８に示すようにカバー突起４５ａは受けカバー金具４０のおたまじゃくし状の第２開口４２ｃより内側に突出し、第２電源用接続端子棒４１後端のリード線Ｒ２接続部を包囲し、該接続部に煮汁等が付着しないようにカバーする。
【００３８】
前記温度ヒューズ３８等の取り付けは次のように行われる。ヒーター３５の一方の端部３５ａに直線状の第１電源用接続端子棒３６を取り付け、他方の端部３５ｂに略Ｃ字状の電源用接続端子３７を取り付けたものを用意し、第１電源用接続端子棒３６を遮熱板２０の窪み部２６の左側口２７ａより外側に突き出し、電源用接続端子３７を右側口２７ｂより外側に突き出し、平面視略ハート状の本体部分を遮熱板２０内に立設する５個のヒーター保持金具２５の上部Ｕ字状切欠に圧入して保持する。
【００３９】
また、受けカバー金具４０の第２開口４２ｃに第２電源用接続端子棒４１を取り付け、更に受けカバー金具４０に受けカバー４５を取り付けておく。その取り付けは、受けカバー４５のフランジ４７に形成されるビス穴４７ａからビスを挿入し、該ビスを受けカバー金具４０のビス穴４２ｄに螺合することにより行われ、取り付け後においては、両部材の３個の穴、即ち、中央開口４２ａと中央貫通口４６ａ、第１開口４２ｂと第１貫通口４６ｂ、第２開口４２ｃと第２貫通口４６ｃはそれぞれ一致する。
【００４０】
その後、遮熱板２０の窪み部２６の下方に取り付けられる温度ヒューズ３８の一端と略Ｃ字状の電源用接続端子３７とをリード線Ｒ１により接続し、温度ヒューズ３８の他端と受けカバー金具４０の第２開口４２ｃに取り付けられる第２電源用接続端子棒４１の後端部とをリード線Ｒ２により接続する。その後、受けカバー金具４０を遮熱板２０に取り付ける。その取り付けは、受けカバー金具４０の第１開口４２ｂにヒーター３５の一方の端部３５ａに取り付けられる第１電源用接続端子棒３６を挿入し、カバー突起４５ａを受けカバー金具４０のおたまじゃくし状の第２開口４２ｃに挿入し、２個の略キノコ状の係止片４３を遮熱板２０の側壁２１に形成される２個のＴ字を横にしたような形状の切欠口２８に係合する。その係合は、２個の係止片４３を２個の切欠口２８の垂直な部分に挿入し、次いで受けカバー金具４０を水平な部分に沿って右側に押し込むことにより行われる。
【００４１】
その後、遮熱板２０の底壁２２の内側よりビスを受けカバー金具４０の底壁４０ｃのビス穴４４に螺合する。その結果、遮熱板２０、ヒーター３５、受けカバー金具４０及び受けカバー４５からなる遮熱板ユニットが完成する。なお、温度ヒューズ３８は受けカバー金具４０によってカバーされるため煮汁等が掛かる恐れがなくなる。また、温度ヒューズ３８には保護用のガラス編組チューブ３９ａを設けることにより遮熱板２０の手入れ時に温度ヒューズ３８が水に濡れる等の弊害が防止できる。
【００４２】
そしてこの遮熱板ユニットを本体ケース１０に収納する。その収納は、本体ケース１０の側部開口１４に遮熱板ユニットの受けカバー４５が合致するようにして行われる。遮熱板ユニットを本体ケース１０に収納すると、遮熱板２０の３個の脚部２３ａは、本体ケース１０の３個の凹み１７内に位置し、遮熱板ユニットの横移動を防止するとともに、本体ケース１０と所定の間隔を維持して安定的に保持される。その結果、図２に示すようなケースユニットＹが完成する。
【００４３】
調理鍋３０は、鍋３２及び蓋３３からなる。鍋３２は、表面にフッ素加工が施されてなる皿状の金属製容器であり、深鍋の他に浅鍋及び底面が波状の浅鍋を有する。図１では深鍋３２を示す。深鍋３２には左右対象位置に２個の取手３１を有するとともに、深鍋３２内には前記浅鍋及び底面が波状の浅鍋が収納可能であり、必要に応じていずれかの鍋が使われる。
【００４４】
次に、温度調節部５０について説明する。温度調節部５０は、温度つまみ及び表示器等からなる温度設定部、設定温度に応じてスイッチのオフ時期を変えるスイッチ部及び鍋の温度を検知する感熱棒９５等からなる。図６に正面側の斜め上方から見た図を示し、図７に背面側から見た図を示し、図８に上方から見た図を示し、図９に右側面側から見た図を示し、図１０に底面側から見た図を示す。温度調節部５０は、上カバー５１、中カバー６５及び底カバー７０の３カバーよりなる。
【００４５】
図１１に上カバー５１の背面側の斜め上方から見た図を示す。上カバー５１は、正面壁５２、上面壁５３及び背面壁５４を一体成形し、下方開口の中空な樹脂製部材である。正面壁５２は、外側に位置する操作面として機能する部分で、下方に向かって若干外方に傾斜し、正面視略矩形状で且つ平面視円弧状を呈する。そして、その正面側には温度つまみ８６に連動するレベル支持針９０が配置される矩形状の表示窓５５を有し、該表示窓５５の上方には、例えば０℃、１００℃、２００℃等の温度表示が付される。
【００４６】
前記上面壁５３は、正面壁５２の上方に水平に連続する部分で、平面視略三日月状を呈し、その上面には下方に窪んだ楕円状の指掛かり部５６を有する。この指掛かり部５６は、温度調節部５０を着脱する際、指を掛ける部分である。また、上面壁５３の内側裏面には、底カバー７０及び後記ターミナルケース９６をビス止めするための円柱状の４個のボス５９を有する。なお、温度調節部５０を本体ケース１０に装着した際、正面壁５２は、本体ケース１０の側壁１１と図１で矢印Ｑで示すように連続する面を形成し、上面壁５３は、本体ケース１０の天面と同じく図１で矢印Ｒで示すように連続する面を形成する。このような形状とすることにより見栄えが向上するとともに、出っ張り部分が生じないため手等が当たり思わぬ怪我をする恐れはない。
【００４７】
前記背面壁５４は、垂直部分５７及び水平部分５８を有する。垂直部分５７は背面視矩形状で且つ平面視円弧状を呈し、水平部分５８は平面視台形状を呈し、更に水平部分５８には若干の長さを有するスカート部５８ｂが連続して形成されている。また、垂直部分５７には、矩形状の垂直開口５７ａがかなりの大きさで設けられ、水平部分５８には、台形状の水平開口５８ａがかなりの大きさで設けられている。垂直開口５７ａと水平開口５８ａとは連続した開口を形成する。
【００４８】
前記スカート部５８ｂには、その左右端近傍に２個の係止溝６０、並びに逆円錐状の係合突起６１を有する。係止溝６０には底カバー７０に設けられる係止爪７５が係合し、底カバー７０を保持する。また、係合突起６１は、温度調節部５０を本体ケース１０に装着した際、本体ケース１０の底壁１２の係止溝１８に係合し、クリック感により装着を知らせるとともに、位置決め作用を奏し、更には装着後に温度調節部５０に上部より外力が加わった場合、感熱棒９５より先に力を受けることで感熱棒９５を保護する役目もする。
【００４９】
図１２に中カバー６５を斜め上方から見た図を示す。中カバー６５は、垂直壁６６及び水平壁６７を有する。垂直壁６６は、正面視略矩形状で且つ平面視円弧状を呈し、その中央部には後記ターミナルケース９６の外径と同形で若干大きい略矩形状の開口６８が設けられる。また、垂直壁６６及び水平壁６７の全周にわたりクランク状に折れ曲がったリブ６９を有する。
【００５０】
中カバー６５は、上カバー５１の下方開口より挿入され、上カバー５１の連続した垂直開口５７ａ及び水平開口５８ａを閉鎖するものであり、中カバー６５の垂直壁６６及び水平壁６７は、上カバー５１の垂直開口５７ａ及び水平開口５８ａのそれぞれより若干小さくされ、中カバー６５のリブ６９は、上カバー５１の垂直開口５７ａ及び水平開口５８ａのそれぞれより若干大きくされている。そのため、上カバー５１内に中カバー６５を挿入した際、中カバー６５の垂直壁６６及び水平壁６７は、上カバー５１の垂直開口５７ａ及び水平開口５８ａを封止し、リブ６９により上カバー５１内に係止される。このリブ６９は、吹きこぼれた煮汁等が上カバー５１内に浸入しようとした場合、その浸入を防止する機能も有する。
【００５１】
図１３に底カバー７０の正面側の斜め上方から見た図を示す。底カバー７０は、水平壁７１及びプラグ受け７２を有する。水平壁７１は、正面側が円弧状で背面側（感熱棒９５側）が直線状の概略扇形状を呈し、その正面側の外周端近傍には後記温度つまみ８６が摺動するための円弧状のスライド溝７２を有し、スライド溝７２の左右方向一方端の更に外側の端部には底カバー７０を前記上カバー５１に固定するための第１ビス穴７４を有する第１ボス７３が立設する。また、水平壁７１の直線状の背面側には２個の係止爪７５を有する。この２個の係止爪７５は、上カバー５１のスカート部５８ｂに設けられる２個の係止溝６０に嵌合する。
【００５２】
前記水平壁７１のボス７３とは反対側の端部には、前記プラグ受け７２が一体に成形される。このプラグ受け７２は、中央に１枚の鉄板７２ａと、両端の２本の接続ピン７２ｂを有し、図示しないマグネットプラグが接続される。このように温度調節部５０にマグネットプラグを用いることにより、電源コードを引っかけたとしてもプラグが容易に外れるので安全性が向上する。なお、プラグ受け７２の耐トラッキングのためプラグ受け７２も含め底カバー７０はフェノール樹脂製とする。
【００５３】
プラグ受け７２の上面には、前記第１ボス７３の第１ビス穴７４と対になる第２ビス穴７７を有する第２ボス７６が形成される。なお、プラグ受け７２の下面の第２ビス穴７７に対向する位置には第３ビス穴７８が設けられ、この第３ビス穴７８からドライバーを挿入してビス止めすることになる。
【００５４】
プラグ受け７２の下面は、水平壁７１より長さｔ下方に延設され、且つ下面形状は図１０に示すように略台形状にされ、第１脚部７９を形成する。この第１脚部７９は底カバー７０の略１／４の大面積を占め、他の第２脚部８０とともに温度調節部５０を安定的に自立させる。また、底カバー７０の下面であって、第１脚部７９と対向する位置に第２脚部８０が形成される。この第２脚部８０は、図１０に示すように略く字状にされ、前記第１脚部７９とともに温度調節部５０の脚部を形成する。このように脚部の少なくとも一方にプラグ受け７２を利用することで大面積の脚を確保でき温度調節部５０の安定感を増すことができる。なお、第１脚部７９、第２脚部８０の形状は、円、楕円、矩形等どのような形状でもよい。
【００５５】
また、第１脚部７９及び第２脚部８０は、扇形の温度調節部５０の両端に半径方向に設けられることになり、より安定性が増す。そして、第１脚部７９及び第２脚部８０は底カバー７０より長さｔ下方になり、温度調節部５０を本体ケース１０に着脱する際、底カバー７０の裏面にも指を掛けることができるようになる。そのため、指掛かり部５６と底カバー７０の裏面に指を掛けることにより温度調節部５０を片手で容易に着脱することができるようになる。
【００５６】
次に、前記上カバー５１内に配設されるサーモエレメントユニット８５について図１４及び図１６により説明する。サーモエレメントユニット８５は、温度つまみ８６、スライダー８８、フォーク９２、回転ドラム９３、スイッチ部９４及び感熱棒９５等からなる。
【００５７】
温度つまみ８６は、底カバー７０のスライド溝７２の下方に配置される部材であり、前方である正面側に突き出た突出部８６ａを有しており、温度設定時には、突出部８６ａを指で掴んで温度つまみ８６をスライド溝７２に沿って図１６の矢印（１）で示すように左右に移動する。この温度つまみ８６にはスライド溝７２から上カバー５１内にまで突出する軸８７を有し、この軸８７は上カバー５１内に位置するスライダー８８に取り付けられる。なお、温度つまみ８６の高さは、底カバー７０とプラグ受け７２の下面との長さｔ（図６参照）より短くされ、底カバー７０の下面に取り付けられた際、その下端部はプラグ受け７２の下面より上方に位置する。
【００５８】
スライダー８８は、矩形状で且つその全体が円弧状に湾曲した部材であり、温度つまみ８６に連動して上カバー５１内でスライド溝７２に沿って左右動する。このスライダー８８の上方にはスライダー８８とほぼ同形のレベル板８９が平行に取り付けられる。レベル板８９の上面にはレベル支持針９０が立設される。このレベル支持針９０は表示窓５５に飛び出す形態で取り付けられ、設定温度を表示する。
【００５９】
スライダー８８とレベル板８９とを連結する一方の軸９１には、フォーク９２が取り付けられる。フォーク９２はＵ字状の部材でその先端には軸口９２ａを有し、この軸口９２ａに前記スライダー８８とレベル板８９とを連結する一方の軸９１が軸支される。このフォーク９２の平行な２本の部分の外周端には回転ドラム９３の対向する２個のレール状の溝（図示しない）が嵌合し、スライダー８８が左右に移動するとフォーク９２は図１６の矢印（２）で示すように左右に揺動し、その揺動運動により回転ドラム９３が図１６の矢印（３）で示すように回転する。
【００６０】
回転ドラム９３は、この回転ドラム９３の回動により上下動するカム軸を介してバイメタルからなるスイッチ部９４に連動する。回転ドラム９３が回動するとカム軸が上下動し、スイッチ部９４の閉鎖力を可変する。即ち、スイッチをオフの状態にしたり、例えば鍋の温度が１００℃になるとスイッチがオフされるようにしたり、或いは、鍋の温度が２００℃になるとスイッチがオフされるように可変する。その温度設定は温度つまみ８６を左右に移動することによって行われる。
【００６１】
スイッチ部９４には感熱棒９５が接続されている。この感熱棒９５は、先端が円錐状の金属製筒状部材であり、温度調節部５０背面側の中央に取り付けられ、温度調節部５０が本体ケース１０に装着された際には、その先端は遮熱板２０内に突出し、遮熱板２０内に調理鍋３０が載せられると調理鍋３０の底面に当接し、調理鍋３０の温度を検知する。
【００６２】
この感熱棒９５の円錐状の端部と反対側の端部近傍を包囲する形態でターミナルケース９６が取り付けられる。ターミナルケース９６は、ほぼ同形のケースを上下に組み合わせた上下２分割のケースであり図示しないビスにより一体に取り付けられる。図１５に感熱棒９５に取り付けたターミナルケース９６を示す。ターミナルケース９６の左右両端部近傍には、図７に示すようにそれぞれ円形の環状口９６ａを有し、これら環状口９６ａ内にはチューリップ状の電源接続片９６ｂ（請求項１に記載される接続端子部に相当）が取り付けられており、環状口９６ａ内に前記第１電源用接続端子棒３６及び第２電源用接続端子棒４１が挿入されると、これら電源接続片９６ｂは第１電源用接続端子棒３６及び第２電源用接続端子棒４１と電気的に接続される。
【００６３】
ターミナルケース９６の感熱棒９５方向から見た正面視の形状は、中カバー６５の略矩形状の開口６８より若干小さい相似形で、その外周にはほぼ全周にリブ９６ｄが設けられる。ターミナルケース９６が中カバー６５の開口６８に挿入されると、図１５に示すようにターミナルケース９６はリブ９６ｄの前方側が中カバー６５より突出する形態で取り付けられ、リブ９６ｄでほぼ封止される。そのため、感熱棒９５方向側からの上カバー５１内への煮汁等の浸入が防止される。また、ターミナルケース９６の左右両端部には、ターミナルケース９６を上カバー５１に取り付けるための上下方向のビス穴９６ｃが設けられる。
【００６４】
温度調節部５０の組立は次のように行われる。図１６に示すサーモエレメントユニット８５を組み立て、そのサーモエレメントユニット８５に上下２分割のターミナルケース９６を組み立てたものを用意する。次いで、図１４に示すようにターミナルケース９６に中カバー６５を挿入する。なおこの場合、温度つまみ８６は取り外しておく。次に、図１４に示すユニットを上カバー５１内に挿入し、ターミナルケース９６の２個のビス穴９６ｃにビスを挿入し、ターミナルケース９６と上カバー５１とをビスにより螺合する。次いで、底カバー７０を取り付ける。その取り付けは、上カバー５１のスカート部５８ｂの２個の係止溝６０内に、底カバー７０の２個の係止爪７５を係止し、底カバー７０の第１ビス穴７４及び第２ビス穴７７からビスを挿入し該ビスにより螺合する。その後、温度つまみ８６を取り付けて温度調節部５０が完成する。
【００６５】
温度調節部５０は、ケースユニットＹの側部開口１４に取り付けられる。温度調節部５０がケースユニットＹに取り付けられると、ターミナルケース９６の左右両端部近傍の２個の環状口９６ａに第１電源用接続端子棒３６及び第２電源用接続端子棒４１が挿入し電気的に接続されるとともに、温度調節部５０の係合突起６１が本体ケース１０の係止溝１８に係合音を発して係合する。なお、温度調節部５０は床からは浮いた状態になる。そして、温度調節部５０と本体ケース１０の天面及び側面を含んだ外周は連続し一体感を醸し出している。
【００６６】
本願発明は、上記実施例の構成に限定されるものではなく、発明の要旨を逸脱しない範囲において適宜設計変更可能である。
【図面の簡単な説明】
【００６７】
【図１】本願発明のグリル鍋の全体斜視図
【図２】本願発明の温度調節部を取り外したケースユニットの全体斜視図
【図３】本願発明の遮熱板の全体斜視図
【図４】本願発明の本体ケースの全体斜視図
【図５】本願発明のヒータの全体斜視図
【図６】本願発明の温度調節部の斜視図
【図７】本願発明の温度調節部の背面図
【図８】本願発明の温度調節部の平面図
【図９】本願発明の温度調節部の右側面図
【図１０】本願発明の温度調節部の底面図
【図１１】本願発明の温度調節部の上カバーの斜視図
【図１２】本願発明の温度調節部の中カバーの斜視図
【図１３】本願発明の温度調節部の底カバーの斜視図
【図１４】本願発明の温度調節部の中カバーとターミナルユニットの組み合わせ斜視図
【図１５】本願発明の温度調節部のターミナルユニットの斜視図
【図１６】本願発明の温度調節部のサーモエレメントユニットの斜視図
【図１７】本願発明の温度ヒューズの取付位置及び配線状態を示す概略図
【図１８】本願発明の受けカバー金具の背面から見た斜視図
【図１９】本願発明の受けカバー及び受けカバー金具の斜視図
【図２０】従来の加熱調理器の一部断面図
【符号の説明】
【００６８】
Ｈ…グリル鍋                  Ｙ…ケースユニット
１０…本体ケース              １１，２１，４０ｂ…側壁
１２，２２，４０ｃ…底壁      １４…側部開口
１４ａ…上端部                １８，６０…係止溝
２０…遮熱板                  ２３…凸部
２３ａ…脚部                  ２４，２８…切欠口
２５…ヒーター保持金具        ２６…窪み部
２７…中央口                  ２７ａ…左側口
２７ｂ…右側口                ３０…調理鍋
３５…ヒーター                ３５ａ，３５ｂ…端部
３６…第１電源用接続端子棒    ３７…電源用接続端子
３８…温度ヒューズ            ４０…受けカバー金具
４０ａ，５２…正面壁          ４１…第２電源用接続端子棒
４２ａ…中央開口              ４２ｂ…第１開口
４２ｃ…第２開口              ４３…係止片
４５…受けカバー              ４５ａ…カバー突起
４６ａ…中央貫通口            ４６ｂ…第１貫通口
４６ｃ…第２貫通口            ５０…温度調節部
５１…上カバー                ５３…上面壁
５４…背面壁                  ５５…表示窓
５６…指掛かり部              ５７…垂直部分
５７ａ…垂直開口              ５８…水平部分
５８ａ…水平開口              ５８ｂ…スカート部
６１…係合突起                ６５…中カバー
６６…垂直壁                  ６７，７１…水平壁
６８…開口                    ６９，９６ｄ…リブ
７０…底カバー                ７２…スライド溝
７５…係止爪                  ７９…第１脚部
８０…第２脚部                ８５…サーモエレメントユニット
８６ａ…突出部                ８７，９１…軸
８８…スライダー              ８９…レベル板
９０…レベル支持針            ９２…フォーク
９３…回転ドラム              ９４…スイッチ部
９５…感熱棒                  ９６…ターミナルケース
９６ａ…環状口                ９６ｂ…電源接続片
【図１】
2008307150.tif 000003
【図２】
2008307150.tif 000004
【図３】
2008307150.tif 000005
【図４】
2008307150.tif 000006
【図５】
2008307150.tif 000007
【図６】
2008307150.tif 000008
【図７】
2008307150.tif 000009
【図８】
2008307150.tif 000010
【図９】
2008307150.tif 000011
【図１０】
2008307150.tif 000012
【図１１】
2008307150.tif 000013
【図１２】
2008307150.tif 000014
【図１３】
2008307150.tif 000015
【図１４】
2008307150.tif 000016
【図１５】
2008307150.tif 000017
【図１６】
2008307150.tif 000018
【図１７】
2008307150.tif 000019
【図１８】
2008307150.tif 000020
【図１９】
2008307150.tif 000021
【図２０】
2008307150.tif 000022